(57)【要約】      （修正有）【課題】本発明は、配光パターンでの中心付近の最大光度を高めると共に、照射光の全光束を増大させるようにしたバルブ横置き型のプロジェクタタイプ車両前照灯を提供することを目的とする。【解決手段】投影レンズ１３と、この投影レンズの焦点位置の後方にてほぼ横向きに配置された光源バルブ１１と、この光源バルブからの光を反射させて上記投影レンズの焦点位置に向かって集束させる主リフレクタ１２と、この光源バルブの前方にて、光源バルブから前方やや上向きに出射する光を前方の中心付近に向かって反射させる副リフレクタ１５と、上記投影レンズの焦点付近に配置され、カットオフラインを形成するシャッタ１４とを含んでおり、上記シャッタが、挿入位置から退避可能に構成されると共に、このシャッタに備えられた開口部が、退避位置で、上記副リフレクタから反射され前方に照射される光の光路を開放するように、車両前照灯１０を構成する。【選択図】図１
2007194166.tif 000002
【特許請求の範囲】
【請求項１】
照射方向に水平に延びる光軸上に配置された凸形の投影レンズと、
この投影レンズの後側の焦点位置の後方にてほぼ光軸と直交する向きに配置された光源バルブと、
この光源バルブから出射する光を反射して上記投影レンズの照射方向後側の焦点位置付近に向かって集束する主リフレクタと、
この光源バルブから出射する光のうち前方やや上向きに出射する光を下方に反射する第一の反射面と、この第一の反射面からの光を照射方向前方の配光中心付近に向かって反射する第二の反射面とを有する副リフレクタと、
上記投影レンズの後側焦点位置付近に配置され当該投影レンズへの光路の少なくとも一部を遮蔽する第一の遮光部と、副リフレクタの上記第一の反射面から第二の反射面に反射される光路の少なくとも一部を遮蔽する第二の遮光部とを有するシャッタと、を備え、
上記シャッタが、
上記第一の遮光部が主リフレクタから投影レンズへの光路上にてすれ違いビーム用のカットオフを形成し上記第二の遮光部が副リフレクタの上記第一の反射面から第二の反射面に反射される光路の少なくとも一部を遮蔽する挿入位置と、上記投影レンズ及び副リフレクタの第二の反射面の光路を解放する退避位置との間で可動する車両用前照灯。
【請求項２】
上記シャッタが、
挿入位置にあるときにはすれ違い配光を形成し、退避位置にあるときには走行用配光を形成する、請求項１に記載の車両用前照灯。
【請求項３】
上記シャッタが、
第二の遮光部の一部に開口部を有し、
上記第二の遮光部が、
挿入位置にあるときにはこの第二の遮光部によって副リフレクタの上記第一の反射面から第二の反射面に反射される光路の少なくとも一部を遮蔽し、退避位置にあるときには当該光路が上記開口部を通過する、請求項１に記載の車両用前照灯。
【請求項４】
上記第二の遮光部が、
挿入位置にあるときには上記第二の遮光部によって副リフレクタの上記第一の反射面から第二の反射面に反射される光路を遮蔽し上記投影レンズからのみ照射する、請求項１に記載の車両用前照灯。
【発明の詳細な説明】
【技術分野】
【０００１】
本発明は、例えば自動車の前部に設けられた前照灯または補助前照灯として使用される車両前照灯に関する。
【背景技術】
【０００２】
従来、所謂プロジェクタタイプの自動車用の前照灯は、光源バルブとしてバルブと、バルブからの光を前方に向かって反射させる反射面と、バルブまたは反射面からの光を集束させる投影レンズと、バルブから投影レンズへの光路中に配置された所謂カットオフラインを形成するためのシャッタと、から構成されている。
ここで、上記バルブは、その中心軸が前方に向かってほぼ水平に延びる投影レンズの光軸と一致するように、前向きに配置されている。
【０００３】
このような構成の前照灯によれば、バルブから出射した光が、直接にまたは上記反射面で反射されて投影レンズに入射し、投影レンズによって集束されることにより、前方に向かって照射される。
その際、投影レンズに入射する光の一部がシャッタによって遮断されることにより、対向車に幻惑光を与えないように対向車線側で照射距離が短くなるような所望の配光特性が得られ、所謂すれ違いビームが形成されるようになっている。
【０００４】
しかしながら、このような構成の前照灯においては、上述したように、バルブが前向きに配置されていることから、灯具全体の前後方向の全長が比較的長くなってしまい、自動車の車体に対する取付スペースが大きくなると共に、取付の自由度が小さく、自動車の車体デザイン上の制約となってしまう。
【０００５】
これに対して、特許文献１及び特許文献２には、バルブを光軸の側方から挿入（横向き）にして、さらに投影レンズの光軸より下方に配置するようにした、車両前照灯が開示されている。
このような構成によれば、一定の長さを持つバルブが横向きに配置されていることにより、灯具の全長が短縮され、小型に構成され得ることになる。
【０００６】
さらに、特許文献１による車両前照灯においては、可動式シャッタを設けて、このシャッタを投影レンズへの光路中に挿入することにより、シャッタ端縁によりカットオフラインを形成して、すれ違いビームの配光特性を得ると共に、上記シャッタを光路から退避させることにより、走行ビームの配光特性を得るようにしている。
【０００７】
また、特許文献２による車両前照灯においては、光源バルブから反射面そして投影レンズを介して前方に照射される主配光以外の光を、付加リフレクタにより車両前方に向けて投影レンズを介さず反射させることにより、光源バルブからの光を有効利用して、より視認性の良好な配光特性を得るようにしている。
【特許文献１】特開２００５−２９３９８４号
【特許文献２】特開２００５−２７６７６１号
【発明の開示】
【発明が解決しようとする課題】
【０００８】
ところで、上記バルブは、一般的にその中心軸付近に最大光度を与えるような発光特性を有している。
これに対して、特許文献１及び特許文献２によるプロジェクタタイプの車両前照灯においては、バルブの発光中心が光軸の直下に位置するように配置されていると共に、バルブから中心軸方向に出射して反射面の光軸側方領域で反射された光は、投影レンズを透過した後、配光パターンにおける側方領域、所謂拡散領域に出射されることになる。
このため、バルブの最大光度を与える光が、前方の配光中心付近に向かって照射されないため、配光パターンにおける中心付近の最大光度が低くなる。
従って、従来の光源バルブが光軸方向に沿って配置されている通常のプロジェクタタイプの車両前照灯と比較して、前方の配光中心に向かって照射される光束が少なくなると共に、最大高度が低下してしまう。
【０００９】
また、特許文献１による車両前照灯においては、可動シャッタにより、すれ違いビームと走行ビームを切換えるようにしているが、横向きに光源を挿入することで光束最大光度が不足するため一つの光源バルブ，反射面及び投影レンズによりすれ違いビーム及び走行ビームの双方の配光特性を十分に満足することは困難であった。
【００１０】
これに対して、特許文献２による車両前照灯においては、付加リフレクタにより光源バルブからの光を有効利用するようにしているが、付加リフレクタで反射された光は、配光パターンの外縁を照射するため配光特性の中心付近の光度を高めるようには構成されていないので、同様に前方に向かって照射される光束が少なくなると共に、最大高度が低下してしまう。
【００１１】
本発明は、以上の点から、簡単な構成により、配光パターンにおける中心付近の最大光度を高めると共に、照射光の全光束を増大させるようにした、バルブ横置き型のプロジェクタタイプ車両前照灯を提供することを目的としている。
【課題を解決するための手段】
【００１２】
上記目的は、本発明の構成によれば、照射方向に水平に延びる光軸上に配置された凸形の投影レンズと、この投影レンズの後側の焦点位置の後方にてほぼ光軸と直交する向きに配置された光源バルブと、この光源バルブから出射する光を反射して上記投影レンズの照射方向後側の焦点位置付近に向かって集束する主リフレクタと、この光源バルブから出射する光のうち前方やや上向きに出射する光を下方に反射する第一の反射面と、この第一の反射面からの光を照射方向前方の配光中心付近に向かって反射する第二の反射面とを有する副リフレクタと、上記投影レンズの後側焦点位置付近に配置され当該投影レンズへの光路の少なくとも一部を遮蔽する第一の遮光部と、副リフレクタの上記第一の反射面から第二の反射面に反射される光路の少なくとも一部を遮蔽する第二の遮光部とを有するシャッタと、を備え、上記シャッタが、上記第一の遮光部が主リフレクタから投影レンズへの光路上にてすれ違いビーム用のカットオフを形成し上記第二の遮光部が副リフレクタの上記第一の反射面から第二の反射面に反射される光路の少なくとも一部を遮蔽する挿入位置と、上記投影レンズ及び副リフレクタの第二の反射面の光路を解放する退避位置との間で可動する車両用前照灯、により達成される。
【００１３】
本発明による車両用灯具は、好ましくは、上記シャッタが、挿入位置にあるときにはすれ違い配光を形成し、退避位置にあるときには走行用配光を形成する。
【００１４】
本発明による車両用灯具は、好ましくは、上記シャッタが、第二の遮光部の一部に開口部を有し、上記第二の遮光部が、挿入位置にあるときにはこの第二の遮光部によって副リフレクタの上記第一の反射面から第二の反射面に反射される光路の少なくとも一部を遮蔽し、退避位置にあるときには当該光路が上記開口部を通過する。
【００１５】
本発明による車両用灯具は、好ましくは、上記第二の遮光部が、挿入位置にあるときには上記第二の遮光部によって副リフレクタの上記第一の反射面から第二の反射面に反射される光路を遮蔽し上記投影レンズからのみ照射する。
【発明の効果】
【００１６】
上記構成によれば、光源バルブから出射した光が、直接にまたは主リフレクタで反射されると共に、その第二の焦点位置即ち投影レンズの後側の焦点位置に向かって集束され、さらに投影レンズを介して前方に向かって照射される。
また、光源バルブから前側上方に出射して副リフレクタに入射した光は、副リフレクタで反射され、前方に向かって照射される。
【００１７】
ここで、走行ビーム時には、シャッタが退避位置に移動することにより、副リフレクタで反射された光は、シャッタにより遮断されることなく、その開口部を通過してそのまま前方の中心付近に向かって照射されることになる。本発明では、主リフレクタ及び副リフレクタで反射された光により、主リフレクタによる主配光パターンに加えて、副リフレクタによるスポット配光パターンが、中心付近に向かって照射される。これにより、本発明は中心付近の光度が高められることになり、走行ビームのために最適な配光パターンが得られることになる。
【００１８】
これに対して、すれ違いビーム時には、シャッタが挿入位置に移動されることにより、副リフレクタで反射された光は、シャッタにより遮断されるため、この副リフレクタからは、前方に向かって少なくとも一部が照射されない。
従って、主リフレクタで反射された光のみが投影レンズを介して前方に向かって照射され、その際シャッタによりカットオフラインを形成されることにより、すれ違いビームに適した配光パターンが得られることになる。
【００１９】
ここで、光源バルブがほぼ横向きに配置されていることによって、車両前照灯の灯具全体が比較的短く構成され得る。
また、シャッタが退避位置にあるときには、副リフレクタで反射された光が、配光パターンの中心付近の光度を高めることになり、走行ビームとして十分な光度が得られることになる。
【００２０】
上記副リフレクタが、上記光源バルブの前方にて、光源バルブから前方やや上向きに出射する光を上記シャッタの上方にて下方に向かって反射させる第一の反射面と、第一の反射面で反射された光を上記シャッタの下方にて前方に向かって反射させる第二の反射面と、から構成されている場合は、副リフレクタの第一の反射面及び第二の反射面により光源バルブからの光を二段階で反射させることにより、副リフレクタが比較的小型に構成され得ることになる。
【００２１】
上記副リフレクタの第一の反射面が、光源バルブ付近に第一の焦点を有し、且つ上記シャッタの退避位置にてその開口部の中心付近に第二の焦点を有する楕円系反射面として形成されており、上記副リフレクタの第二の反射面が、上記第一の反射面の第二の焦点付近に焦点を有する放物系反射面として形成されている場合には、副リフレクタの第一の反射面で反射された光が、その第二の焦点付近で集束された後、第二の反射面で反射されて前方に向かって照射される。
従って、光が最も集束される副リフレクタの第一の反射面の第二の焦点付近にて、シャッタの開口部が、この光を遮断または通過させることにより、開口部が光源バルブの像とほぼ同じ大きさでよいことから、比較的小さくて済むと共に、遮断または通過の切換えのためのシャッタの移動量も少なくて済み、シャッタ全体が小型化され得ることになる。
【００２２】
このようにして、本発明によれば、光源バルブを横向きに配置したプロジェクタタイプの車両前照灯において、副リフレクタを付加して、この副リフレクタにより光源バルブからの光を前方に向かって照射することにより、従来利用されていない光源バルブからの光を走行ビームの配光パターンの中心付近に照射する。
【００２３】
これにより、走行ビーム時には、シャッタを退避位置に移動させて、副リフレクタからの反射光により走行ビームの配光パターンの中心付近の光度を高めることにより、光源バルブからの光の利用効率が向上し、配光パターンにおける中心付近の最大光度が高められ得ると共に、一つの灯体から照射される全光束が増大することになる。
また、すれ違いビーム時には、シャッタが挿入位置に移動することで、副リフレクタの第一の反射面からの反射光を遮断すると共に、このシャッタが主リフレクタからの反射光にカットオフラインを形成することにより、すれ違いビームに適した配光パターンが得られる。
【００２４】
従って、本発明は一つの灯体（光源バルブ，主リフレクタ及び投影レンズ）により、走行ビーム及びすれ違いビームの双方に関して、それぞれ配光パターン及び中心付近の光度そして全光束が最適化され得ることになる。
【発明を実施するための最良の形態】
【００２５】
以下、この発明の好適な実施形態を図１〜図５を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【実施例１】
【００２６】
図１は、本発明による車両用灯具の一実施形態の構成を示している。
図１において、車両用灯具１０は、自動車の前照灯であって、その構成要素として光源バルブとしてのバルブ１１と、上記バルブ１１からの光を前方に向かって反射させる主リフレクタ１２と、バルブ１１の前方に配置された投影レンズ１３と、シャッタ１４と、上記バルブ１１の前方の上下にて配置された副リフレクタ１５と、から構成されている。
【００２７】
上記バルブ１１は、一般に自動車の前照灯または補助前照灯に使用されるバルブであって、例えば白熱電球，ハロゲン電球やメタルハライドランプ等の放電灯等のバルブが使用され、ソケット（不図示）により固定保持されると共に、給電されるようになっている。
この場合、上記バルブ１１は、投影レンズ１３の光軸Ｏに対して、ほぼ直交する（以下、「横向き」とも称する）に且つ車体側方の外側に向かって先端が延びるように、さらに図１のように上記光軸Ｏから下方にずれて、配置されている。
【００２８】
上記主リフレクタ１２は、上記バルブ１１の後方に配置されており、上記バルブ１１から後側に出射する光を前方に向かって反射させるように前方Ｌ１に向かって凹状に形成され、その第一の焦点位置Ｆ１がバルブ１１の発光中心１１ａ付近に位置すると共に、その第二の焦点位置Ｆ２が前側にて上記光軸Ｏ上に位置するように、楕円系反射面から構成されている。
ここで、楕円系反射面は、回転楕円面，楕円柱だけでなく、楕円面を基本とした自由曲面を含むものである。
これにより、バルブ１１から後方に出射した光は、上記主リフレクタ１２で反射されて投影レンズ１３の後側の焦点位置に向かって進み、さらにシャッタ１４を介して投影レンズ１３を透過して前方に向かって出射されるようになっている。
【００２９】
上記投影レンズ１３は、凸状のレンズから構成されており、その光源側の焦点が、上記光軸Ｏ上にて上記主リフレクタ１２の第二の焦点位置Ｆ２付近に位置するように、配置されている。
【００３０】
上記シャッタ１４は、不透光性材料から形成されていると共に、挿入位置（図２にて図示）と退避位置（図３にて図示）との間を図１で示すように移動し得るように構成されている。
【００３１】
そして、上記シャッタ１４は、図２にて示された挿入位置において、その上縁１４ａが、上記投影レンズ１３の光源側の焦点位置に位置し、例えばすれ違いビームの配光パターンにおけるカットオフラインを形成するようになっている。
また、上記シャッタ１４は、図３にて点線で示された退避位置において、その上縁１４ａが、上記投影レンズ１３の光路を開放し、主リフレクタ１２で反射され投影レンズ１３に入射する光を妨げないようになっている。
【００３２】
さらに、上記シャッタ１４は、回動軸１４ｄの下方にてほぼ水平方向に、そして副リフレクタ１５の第一の反射面から第二の反射面への光軸に対してほぼ垂直に延びる遮光部１４ｂを備えており、この遮光部１４ｂのほぼ中心に開口部１４ｃを備えている。
この遮光部１４ｂは、上記シャッタ１４が挿入位置にあるとき、副リフレクタ１５の第一の反射面１５ａから第二の反射面１５ｂへの光路を遮蔽する。
これに対して、上記シャッタ１４が退避位置にあるとき、遮光部１４ｂが光路から退き副リフレクタ１５の第一の反射面１５ａから第二の反射面１５ｂへの光路を開放するようになっている。
【００３３】
尚、上記シャッタ１４は、図示の場合、回転軸１４ｄを中心に揺動可能に支持されており、移動手段としての例えばソレノイド，モータ等の適宜の駆動手段により、上述した挿入位置と退避位置との間を移動され得るようになっている。
【００３４】
上記副リフレクタ１５は、上記バルブ１１の光Ｌ１の照射方向の前方にてシャッタ１４を挟んで上下に、そしてバルブ１１または主リフレクタ１２から投影レンズ１３に入射する光を妨げないように配置された上方の第一の反射面１５ａ及び下方の第二の反射面１５ｂから構成されている。
【００３５】
ここで、上記第一の反射面１５ａは、上記バルブ１１からＬ１方向前方の上側に出射する光を下方に向かって反射させるように、後下方に向かって凹状に形成され、その第一の焦点位置Ｆ１がバルブ１１の発光中心１１ａ付近に位置すると共に、その第二の焦点位置Ｆ３が、上記シャッタ１４の挿入位置における開口部１４ｃ付近に位置するように、楕円系反射面から構成されている。
これにより、バルブ１１からＬ１方向前方の上側に出射した光は、上記副リフレクタ１５の第一の反射面１５ａで反射され、その第二の焦点位置Ｆ３に向かって集束した後、第二の反射面１５ｂに入射するようになっている。
【００３６】
これに対して、上記第二の反射面１５ｂは、上記シャッタ１３の下方に配置されており、上側の副リフレクタ１５の第一の反射面１５ａからの反射光を受けて前方の中心付近に向かって反射させるように、Ｌ１方向前方に向かって凹状に形成され、その焦点位置が上記第一の反射面１５ａの第二の焦点位置Ｆ３付近に位置すると共に、中心軸がＯと平行な直線で前方に向かって延びる放物系反射面から構成されている。  ここで、放物系反射面は、回転放物面だけでなく、放物面を基本とした自由曲面を含むものである。
これにより、上記副リフレクタ１５の第一の反射面１５ａで反射され、その第二の焦点位置Ｆ３に向かって集束した光は、第二の反射面１５ｂで反射され、前方の中心付近に向かってスポット配光（中心付近に集光した配光）として照射されるようになっている。
【００３７】
本発明実施形態による車両用灯具１０は、以上のように構成されており、バルブ１１がソケットから給電されて発光することにより、バルブ１１から出射した光は、その一部の光Ｌ１が、図１に示すように、直接にまたは主リフレクタ１２で反射されて、第二の焦点Ｆ２即ち投影レンズ１３の後側の焦点位置付近に向かって進み、さらにシャッタ１４を介して投影レンズ１３により集束されながら、前方に向かって照射される。
【００３８】
ここで、走行ビーム時には、図２に示すように、上記シャッタ１４が図示しない移動手段により退避位置に持ち来たされる。
これにより、バルブ１１から前方上側に向かって出射する光Ｌ２は、副リフレクタ１５の第一の反射面１５ａで反射されて、第二の反射面１５ｂに向かって収束され、シャッタ１４の開口部１４ｃを通過した後、第二の反射面１５ｂで反射されて、前方の中心付近に向かって照射される。
【００３９】
このとき、前方上側に向かって照射される光Ｌ２は、主リフレクタ１２で反射され投影レンズを介して前方に向かって照射される光Ｌ１が形成する配光パターンに対して、その配光パターン中央付近にスポット配光として付加的に照射されることになる。
従って、この副リフレクタ１５ａ，ｂにより走行ビームの配光パターンにおける中心付近の最大光度がより高められると共に、全光束が増大するので、遠方視認性が向上することになる。
【００４０】
これに対して、すれ違いビーム時には、図３に示すように、上記シャッタ１４が図示しない移動手段により挿入位置に持ち来たされる。
これにより、シャッタ１４の上縁１４ａが、投影レンズ１３によって前方に向かって拡大して投影されることにより、配光パターンにおけるカットオフラインが形成され、すれ違いビームの配光パターンが得られることになる。
【００４１】
また、バルブ１１から前方上側に向かって出射する光Ｌ２は、副リフレクタ１５の第一の反射面１５ａで反射されて、第二の反射面１５ｂに向かって収束するが、上記シャッタ１４の遮光部１４ｂにより遮断されることになる。従って、この光Ｌ２は、前方に向かって照射されない。
これにより、バルブ１１からの直接光及び主リフレクタ１２による反射光即ち光Ｌ１に基づいて、すれ違いビームに最適な配光パターンが得られることになる。
【００４２】
この場合、シャッタ１４を移動手段によって退避位置と挿入位置との間を移動させることにより、簡単な構成により、すれ違いビームのためのカットオフラインの形成と、副リフレクタ１５の光路の遮断が行なわれることになり、部品点数が少なくて済み、部品コスト及び組立コストが低減され得ることになる。
その際、副リフレクタ１５の第一の反射面１５ａで反射された光Ｌ２は、シャッタ１４の開口部１４ｃ付近にて集束されるので、開口部１４ｃが小さくて済むと共に、開口部１４ｃそしてシャッタ１４の挿入位置と退避位置との間の移動量も小さくて済むことから、シャッタ１４そしてその移動機構が小型に構成され得ることになる。
【００４３】
従って、車両用灯具１０はバルブ１１が横向きに配置されていることにより、灯具全体の長さが短く構成され得ると共に、主リフレクタ１２の横方向への張り出し量が少なくて済み、全体に小型に構成され得ることになる。
さらに、シャッタ１４の開口部１４ｃが副リフレクタ１５の光路に挿脱されることにより、配光パターンの中心付近の光度が切換えられ、走行ビーム時の中心付近の最大光度が高められるので、それぞれ走行ビーム及びすれ違いビームに最適な中心付近の最大光度が設定され、走行ビーム時の配光パターンの中心付近の最大光度が十分に高められ得ることになる。
【００４４】
図４及び図５は、上述した車両前照灯１０による配光パターンのシミュレーション結果を示している。
ここで、図４は、すれ違いビーム時における配光パターンを示している。
この場合、配光パターンは、バルブ１１から直接にまたは主リフレクタ１２により反射されて投影レンズ１４を介して前方に出射される光Ｌ１により形成されている。
従って、従来の車両前照灯とほぼ同様に、シャッタ１４の上縁１４ａによりカットオフラインが形成されていると共に、その中心付近の最大光度は、光Ｌ１のみによる配光パターンであることから、比較的低く設定されている。
【００４５】
これに対して、図５は、走行ビーム時における配光パターンを示している。
この場合、配光パターンは、バルブ１１から直接にまたは主リフレクタ１２により反射されて投影レンズ１４を介して前方に出射される光Ｌ１による配光パターン（図５（Ａ）参照）と、バルブ１１から前方上側に向かって出射され、副リフレクタ１５の第一の反射面１５ａ及び第二の反射面１５ｂにより反射され、前方の中心付近に出射される光Ｌ２によるスポット配光パターン（図５（Ｂ）参照）と、により形成される。
ここで、図５（Ｃ）に示すように、上述した光Ｌ１＋Ｌ２による全体の配光パターンは、全光束が増大すると共に、配光パターンの中心付近の最大光度が十分に高められていることが分かる。従って、走行ビームとして十分な中心付近の光度が得られることになる。
【００４６】
上述した実施形態においては、副リフレクタ１５は、シャッタ１４の上方及び下方に配置された第一の反射面１５ａ及び第二の反射面１５ｂから構成されているが、これに限らず、バルブ１１からの主リフレクタ１２による配光パターンに寄与しない光を前方に向かって導くような構成であれば、ただ一つの反射面あるいは三つ以上の反射面から構成されていてもよい。
【００４７】
また、上述した実施形態においては、副リフレクタ１５は、シャッタ１４の上方及び下方に配置されているが、上方のみまたは下方のみに配置された一つの反射面により構成されていてもよい。
【００４８】
本発明の他の実施例として、図６、図７のように、副リフレクタのうち、第一の反射面１５ａを楕円系の自由曲面で形成し、第二の反射面１５ｂを単純回転放物面で形成してもよい。
【００４９】
この場合、ロービーム時にシャッタ１４で第二の反射面１５ｂへの光を全て遮光するのではなく、一部（例えば放物面の焦点より前側）だけを遮光する。このようにすることで、車両用前照灯１０は、ハイビームの配光パターンのおよそ下半分に相当する部分のみを前方に放射することになる。
【００５０】
そうすることで、車両用前照灯１０は、図８のような配光パターンが投影レンズ部によるロービーム配光パターンに加算されることになり、ロービーム時の光量も上げることが可能になる。
【００５１】
また、本実施例において、開口部１４ｃの形状はいかなる形状であってもよく、例えば所定形状の穴のようなものであったり、単に第二の反射面１５ｂへの光路の一部を遮蔽するものであればよい。
【産業上の利用可能性】
【００５２】
本発明による車両前照灯１０は、自動車用の前照灯として構成されているが、これに限らず、補助前照灯等を含む他の種類の車両用灯具に本発明を適用することが可能である。
【００５３】
このようにして、本発明によれば、簡単な構成により、配光パターンにおける中心付近の最大光度を高めると共に、照射光の全光束を増大させるようにした、極めて優れたバルブ横置き型のプロジェクタタイプ車両前照灯が提供され得る。
【図面の簡単な説明】
【００５４】
【図１】本発明による車両用灯具の一実施形態の構成を示す概略側面図である。
【図２】図１の車両用灯具による走行ビーム時の状態を示す概略側面図である。
【図３】図１の車両用灯具によるすれ違いビーム時の状態を示す概略側面図である。
【図４】図１の車両用灯具におけるすれ違いビーム時の配光パターンのシミュレーション結果を示すグラフである。
【図５】図１の車両用灯具における走行ビーム時の（Ａ）光Ｌ１による配光パターン，（Ｂ）光Ｌ２による配光パターン及び（Ｃ）全体の配光パターンのシミュレーション結果を示すグラフである。
【図６】本発明による車両用灯具の他の実施形態の構成を示す概略側面図である。
【図７】本発明による車両用灯具の他の実施形態の構成を示す概略斜視図である。
【図８】図７及び図８の車両用灯具における配光パターンのシミュレーション結果を示すグラフである。
【符号の説明】
【００５５】
１０    車両用灯具
１１    バルブ（光源バルブ）
１１ａ  発光中心
１２    主リフレクタ
１３    投影レンズ
１４    シャッタ
１４ａ  上縁
１４ｂ  遮光部
１４ｃ  開口部
１４ｄ  回転軸
１５    副リフレクタ
１５ａ  第一の反射面
１５ｂ  第二の反射面
【図１】
2007194166.tif 000003
【図２】
2007194166.tif 000004
【図３】
2007194166.tif 000005
【図４】
2007194166.tif 000006
【図５】
2007194166.tif 000007
【図６】
2007194166.tif 000008
【図７】
2007194166.tif 000009
【図８】
2007194166.tif 000010